(57)【要約】【課題】保守点検の容易な集塵装置を提供する。【解決手段】フレーム８にブラケット１１及び指示プレート２２を介して支持されたホルダ本体２１と、渡胴６に対向すると共に渡胴６の回転方向に沿うようにホルダ本体２１に取り付けられて渡胴６の表面を掻き取るように渡胴６の表面に接触すると共に渡胴６に対する接触状態を調整できるように渡胴６に対して移動可能な上ブラシ本体３３及び下ブラシ本体３６と、上ブラシ本体３３及び下ブラシ本体３６を覆うようにホルダ本体２１に取り付けられたフード本体４１と、フード本体４１のパイプ４３に連結されてフード本体４１内を吸引する吸引ポンプとを備えてなる。【選択図】図２
2007182089.tif 000002
【特許請求の範囲】
【請求項１】
ホルダと、
移動可能な対象物に対向すると共に当該対象物の移動方向に沿うように前記ホルダに複数取り付けられて当該対象物の表面を掻き取るように当該対象物の表面に接触すると共に当該対象物に対する接触状態を調整できるように当該対象物に対して移動可能な掻き取り手段と、
前記掻き取り手段を覆うように前記ホルダに取り付けられたフードと、
前記フードに連結され、当該フード内を吸引する吸引手段と
を備えてなることを特徴とする集塵装置。
【請求項２】
請求項１において、
前記フードが、前記ホルダに着脱可能に取り付けられている
ことを特徴とする集塵装置。
【請求項３】
請求項１において、
前記フードが、前記掻き取り手段の前記対象物移動方向上流側と前記フードとの間に隙間を有するように当該掻き取り手段を覆っている
ことを特徴とする集塵装置。
【請求項４】
請求項１において、
フックと、
前記フックと着脱可能に係合するチャック本体と
を有して、
前記チャック本体を前記フックに係合させることにより前記フードを前記ホルダに一体的に連結し、前記チャック本体を前記フックから外すことにより前記フードを前記ホルダから取り外しできるチャックを備えている
ことを特徴とする集塵装置。
【請求項５】
請求項１において、
前記ホルダが、係合突起を有すると共に、
前記フードが、前記ホルダの前記係合突起と着脱可能に係合する係合スリットを有している
ことを特徴とする集塵装置。
【請求項６】
請求項１において、
前記ホルダに切欠溝が設けられると共に、
前記ホルダの前記切欠溝に差し込まれて前記掻き取り手段に螺合する取付ボルトが設けられ、
前記取付ボルトが締め付けられることにより前記掻き取り手段が前記ホルダに位置決め固定され、前記取付ボルトが緩められることにより前記掻き取り手段が前記対象物に対して移動可能となるものである
ことを特徴とする集塵装置。
【発明の詳細な説明】
【技術分野】
【０００１】
本発明は、枚葉印刷機などにおいて、給紙装置から印刷ユニットに枚葉紙を送給する際に紙粉を除去する集塵装置に関する。
【背景技術】
【０００２】
枚葉印刷機などにおいては、枚葉紙に付着している紙粉が印刷ユニットに入り込んでしまうと、良好な印刷を行うことが困難となってしまうため、給紙装置から印刷ユニットに枚葉紙を送給する際に紙粉を除去する集塵装置が装備されている。このような従来の集塵装置の概略構成を図９，１０に示す。
【０００３】
図９，１０に示すように、給紙装置から印刷ユニットへ枚葉紙を受け渡す渡胴６には、当該渡胴６の軸方向に沿って長手方向を向けた箱型のフード１１１が開口部１１１ａを渡胴６に対面させるようにして配設されており、当該フード１１１は、ステー１１２を介してフレーム８にボルト止めされている。フード１１１の内部の開口部１１１ａ部分には、ブラシ１１３が当該開口部１１１ａの長手方向にわたって取り付けられており、当該ブラシ１１３は、渡胴６上で保持された枚葉紙の表面にその先端が当接するようにボルト止めされている。フード１１１の基端側には、ホース１１４の一端が連結されており、当該ホース１１４の他端は、図示しない吸引ポンプに連結されている。
【０００４】
このような従来の集塵装置では、前記吸引ポンプを作動して、ホース１１４を介してフード１１１内を予め吸引し、渡胴６の回転に伴って、給紙装置から渡胴６に枚葉紙が受け渡されると、枚葉紙の印刷ユニットへの受け渡しに先立って、当該渡胴６上の枚葉紙の表面をブラシ１１３がブラッシングして、枚葉紙に付着している紙粉を掻き落とし、上記吸引ポンプによる吸引により、上記紙粉がフード１１１内に吸引され、ホース１１４を介して集塵されるようになっている。
【０００５】
【特許文献１】特開平２−１４１４９号公報
【特許文献２】実公昭２７−７９０５号公報
【特許文献３】実公昭３３−６８１１号公報
【発明の開示】
【発明が解決しようとする課題】
【０００６】
前述したような従来の集塵装置では、ブラシ１１３に紙粉が付着堆積しやすく、ブラシ１１３のブラッシング能力が短期間で低下しやすい。このため、フード１１１やブラシ１１３などに付着した紙粉の除去や、渡胴６に保持された枚葉紙等に対するブラシ１１３の接触状態の調整などの保守点検作業を頻繁に行う必要があり、印刷機の稼働効率の低下を招く場合があった。また、上記保守点検等を行う場合には、ボルト止めされたステー１１２をフレーム８から取り外すと共に、ボルト止めされたブラシ１１３をフード１１１から取り外し、フード１１１内やブラシ１１３を掃除した後にブラシ１１３の位置を調整しながら当該ブラシ１１３をボルト止めするため、当該作業が非常に煩わしいものとなっていた。
【０００７】
このようなことから、本発明は、保守点検の容易な集塵装置を提供することを目的とした。
【課題を解決するための手段】
【０００８】
前述した課題を解決するための、本発明に係る集塵装置は、ホルダと、移動可能な対象物に対向すると共に当該対象物の移動方向に沿うように前記ホルダに複数取り付けられて当該対象物の表面を掻き取るように当該対象物の表面に接触すると共に当該対象物に対する接触状態を調整できるように当該対象物に対して移動可能な掻き取り手段と、前記掻き取り手段を覆うように前記ホルダに取り付けられたフードと、前記フードに連結され、当該フード内を吸引する吸引手段とを備えてなることを特徴とする。
【０００９】
また、本発明に係る集塵装置は、上述した集塵装置において、前記フードが、前記ホルダに着脱可能に取り付けられていることを特徴とする。
【００１０】
また、本発明に係る集塵装置は、上述した集塵装置において、前記フードが、前記掻き取り手段の前記対象物移動方向上流側と前記フードとの間に隙間を有するように当該掻き取り手段を覆っていることを特徴とする。
【００１１】
また、本発明に係る集塵装置は、上述した集塵装置において、フックと、前記フックと着脱可能に係合するチャック本体とを有して、前記チャック本体を前記フックに係合させることにより前記フードを前記ホルダに一体的に連結し、前記チャック本体を前記フックから外すことにより前記フードを前記ホルダから取り外しできるチャックを備えていることを特徴とする。
【００１２】
また、本発明に係る集塵装置は、上述した集塵装置において、前記ホルダが、係合突起を有すると共に、前記フードが、前記ホルダの前記係合突起と着脱可能に係合する係合スリットを有していることを特徴とする。
【００１３】
また、本発明に係る集塵装置は、上述した集塵装置において、前記ホルダに切欠溝が設けられると共に、前記ホルダの前記切欠溝に差し込まれて前記掻き取り手段に螺合する取付ボルトが設けられ、前記取付ボルトが締め付けられることにより前記掻き取り手段が前記ホルダに位置決め固定され、前記取付ボルトが緩められることにより前記掻き取り手段が前記対象物に対して移動可能となるものであることを特徴とする。
【発明の効果】
【００１４】
本発明に係る集塵装置では、対象物の移動方向に沿うように掻き取り手段をホルダに複数取り付けたことから、移動方向上流側の掻き取り手段に紙粉が付着堆積して当該掻き取り手段のブラッシング能力が低下してしまっても、移動方向下流側の掻き取り手段が紙粉を確実に掻き落とすので、ブラッシング効果を比較的長期にわたって維持することができる。
【００１５】
また、フードをホルダに着脱可能に取り付けたので、掻き取り手段やフードの清掃等の保守点検を容易に行うことができる。
【００１６】
また、掻き取り手段の対象物移動方向上流側とフードとの間に隙間を有するように当該フードが掻き取り手段を覆っているので、掻き落とした紙粉をフードの外部に散乱させることなく確実に集塵することができる。
【発明を実施するための最良の形態】
【００１７】
本発明に係る集塵装置の実施形態を図１〜８を用いて説明する。なお、図１は、その集塵装置を適用した枚葉印刷機の全体概略構成図、図２は、図１の集塵装置部分の抽出拡大図、図３は、図２を矢線 III方向から見た平面図、図４は、図３を矢線IV方向から見た背面図、図５は、ホルダの構造図、図６は、ブラシアッセンブリの構造図、図７は、フードの構造図、図８は、ファスナの構造図である。
【００１８】
図１において、１は給紙装置、３，４は印刷ユニット、５は排紙装置である。
【００１９】
給紙装置１は、枚葉紙１００を積載する紙積台１ａと、紙積台１ａ上の枚葉紙１００を渡胴６に送給する差板１ｂとを備えてなっている。
【００２０】
印刷ユニット３は、上記渡胴６に渡胴２を介して対接する圧胴３ａと、圧胴３ａに対接するゴム胴３ｂと、ゴム胴３ｂに対接する版胴３ｃと、版胴３ｃにインキを供給するインキ装置３ｄと、版胴３ｃに湿し水を供給する給水装置３ｅとを備えてなっている。
【００２１】
印刷ユニット４は、上記印刷ユニット３の圧胴３ａに渡胴７を介して対接する圧胴４ａと、圧胴４ａに対接するゴム胴４ｂと、ゴム胴４ｂに対接する版胴４ｃと、版胴４ｃにインキを供給するインキ装置４ｄと、版胴４ｃに湿し水を供給する給水装置４ｅとを備えてなっている。
【００２２】
排紙装置５は、上記印刷ユニット４の圧胴４ａに対接する排紙胴５ａと、排紙胴５ａに同軸をなして設けられた一対のスプロケット５ｂと、紙積台５ｅの上方に対をなして設けられたスプロケット５ｃと、上記スプロケット５ｂ，５ｃ間に巻き掛けられた排紙チェーン５ｄとを備えてなっている。
【００２３】
つまり、給紙装置１の紙積台１ａから差板１ｂ上に送給された枚葉紙１００は、渡胴２にくわえ替えられた後、印刷ユニット３の圧胴３ａにくわえ替えられ、版胴３ｃに供給されたインキ装置３ｄからのインキおよび給水装置３ｅからの水がゴム胴３ｂを介して転写されると、渡胴７を介して、印刷ユニット４の圧胴４ａにくわえ替えられ、版胴４ｃに供給されたインキ装置４ｄからのインキおよび給水装置４ｅからの水がゴム胴４ｂを介して転写された後、排紙装置５の排紙胴５ａにくわえ替えられ、排紙チェーン５ｄにより、紙積台５ｅ上に排紙されるようになっているのである。
【００２４】
一方、図１，２に示すように、対象物である前記渡胴６の近傍には、紙粉を除去する集塵装置１０が配設されており、当該集塵装置１０は、以下のような構造をなしている。
【００２５】
図１〜５に示すように、上記渡胴６の近傍には、当該渡胴６の軸心方向に沿って長手方向を向けて当該渡胴６と対面する正面側とその背面側とを開口させた箱型をなすホルダ本体２１が配設されている。ホルダ本体２１の長手方向両端側には、支持プレート２２がそれぞれ突設されている。これら支持プレート２２は、印刷機のフレーム８に固定されたブラケット１１の切欠溝１１ａにボルト２４を介してそれぞれ連結されている。すなわち、ホルダ本体２１は、ボルト２４により、支持プレート２２を介してブラケット１１に容易に着脱できるように固定されているのである。
【００２６】
図５に示すように、支持プレート２２は、リブ２３によりホルダ本体２１との結合が補強されている。ホルダ本体２１の上面および下面の長手方向両端側と中央付近とには、上記背面側と連絡する切欠溝２１ａがそれぞれ形成されている。支持プレート２２の上記背面側には、係合突起２２ａがそれぞれ突設されている。このようなホルダ本体２１、支持プレート２２、リブ２３などにより、本実施の形態ではホルダを構成している。
【００２７】
図２〜４，６に示すように、ホルダ本体２１の上部には、上取付プレート３１が載置されている。上取付プレート３１の長手方向両端側と中央付近とには、上取付ボルト３２がそれぞれ貫通しており、当該上取付ボルト３２は、ホルダ本体２１の上面の上記切欠溝２１ａにそれぞれ対応して差し込まれている。これら上取付ボルト３２には、当該上取付ボルト３２のボルトヘッドとの間に上記ホルダ本体２１および上取付プレート３１を介在させるようにスペーサ３７がそれぞれ遊嵌している。これら上取付ボルト３２は、ホルダ本体２１内に差し込まれて前記渡胴６に対向する掻き取り手段である上ブラシ本体３３にその先端が貫通して突出するように螺合している。
【００２８】
一方、ホルダ本体２１の下部には、下取付プレート３４が載置されている。下取付プレート３４の長手方向両端側と中央付近とには、下取付ボルト３５がそれぞれ貫通しており、当該下取付ボルト３５は、ホルダ本体２１の下面の前記切欠溝２１ａにそれぞれ対応して差し込まれている。これら下取付ボルト３５の先端寄りは、ホルダ本体２１内に差し込まれて前記渡胴６に対向する掻き取り手段である下ブラシ本体３６に螺合すると共に、当該下ブラシ本体３６を貫通するように突出して上ブラシ本体３３の下面を支持している。
【００２９】
つまり、上ブラシ本体３３は、上取付ボルト３２、スペーサ３７、上取付プレート３１を介してホルダ本体２１の上部に支持されると同時に、下取付ボルト３５、下ブラシ本体３６、下取付プレート３４を介してホルダ本体２１の下部に支承される一方、下ブラシ本体３６は、ホルダ本体２１の下部に支承されると同時に、上取付ボルト３２で下方に押さえつけられているのである。
【００３０】
このため、上下取付ボルト３２，３５を締め付ければ、当該ボルト３２，３５の共締め作用により、上記取付プレート３１，３４を介して上記ブラシ本体３３，３６がホルダ本体２１に位置決め固定され、上記取付ボルト３２，３５を緩めれば、上記共締め作用から解放されることにより、当該取付ボルト３２，３５を介して上記取付プレート３１，３４をホルダ本体２１の前記切欠溝２１ａの長手方向に沿ってスライド移動することができ、上記ブラシ本体３３，３６の位置調整や取り外しを容易に行うことができる。
【００３１】
図２〜４，７に示すように、前記ブラシ本体３３，３６の背後側となるホルダ本体２１の背面側（基端側）には、フード本体４１の先端側が着脱可能に嵌め込まれている。すなわち、フード本体４１の先端側の幅方向両端縁には、係合スリット４２ａの形成されたフランジ４２が突設されており、当該フランジ４２の当該係合スリット４２ａが前記支持プレート２２の前記係合突起２２ｂに着脱可能に係合するようになっている。フード本体４１の基端側には、パイプ４３が連結されている。パイプ４３には、ホースを介して吸引手段である図示しない吸引ポンプが連結されている。このようなフード本体４１、フランジ４２、パイプ４３などにより、本実施の形態ではフードを構成している。
【００３２】
図２〜４，８に示すように、ホルダ本体２１の上部および下部の幅方向両側寄りには、フック５１がそれぞれ固定されている。一方、フード本体４１の上部および下部の幅方向両側寄りには、上記フック５１と着脱可能に係合するチャック本体５２がそれぞれ取り付けられている。つまり、フード本体４１の先端側をホルダ本体２１の基端側に嵌合した際に、チャック本体５２をフック５１に係合することにより、フード本体４１をホルダ本体２１に一体的に連結することができ、チャック本体４２をフック５１から外すことにより、ホルダ本体２１からフード本体４１を取り外すことができるようにしたのである。このようなフック５１、チャック本体５２などにより、本実施の形態ではチャックを構成している。
【００３３】
なお、図３，６中、３１ａは上取付プレート３１がフック５１と干渉してしまうことを防止するために当該上取付プレート３１に形成された切欠部であり、下取付プレート３４にも同様な切欠部が形成されている。
【００３４】
このような集塵装置１０においては、上述したような枚葉印刷機の稼働と同時に、前記吸引ポンプを作動して、前記ホースを介してパイプ４３からフード本体４１内を吸引し、渡胴６の矢印方向への回転に伴って、給紙装置１から渡胴６に枚葉紙１００が受け渡されると、当該渡胴６上の枚葉紙１００の表面を上ブラシ本体３３がブラッシングして、枚葉紙１００に付着している紙粉を掻き落とした後、下ブラシ本体３６がさらに掻き落とし、上記吸引ポンプによる吸引により、上記紙粉がフード本体４１内に吸引され、パイプ４３から前記ホースを介して集塵される。
【００３５】
つまり、上ブラシ本体３３と下ブラシ本体３６とを渡胴６の回転方向に沿って配設する、すなわち、掻き取り手段を対象物の移動方向に沿って複数設けることにより、上ブラシ本体３３で掻き落としきれずに残ってしまう紙粉を下ブラシ本体３６で掻き落とすと共に、上ブラシ本体３３とホルダ本体２１との間にスペーサ３７を設けて隙間を形成すると同時に上ブラシ本体３３と下ブラシ本体３６との間に上下取付ボルト３２，３５で隙間を形成する、すなわち、掻き取り手段の対象物移動方向上流側とフードとの間に隙間を有するように当該フードで掻き取り手段を覆うことにより、上ブラシ本体３３で掻き落とした紙粉を当該上ブラシ本体３３とホルダ本体２１との隙間からフード本体４１の内部に吸引し、下ブラシ本体３６で掻き落とした紙粉を当該下ブラシ本体３６と上ブラシ本体３３との隙間からフード本体４１の内部に吸引するようにしたのである。
【００３６】
このため、上ブラシ本体３３に紙粉が付着堆積して当該上ブラシ本体３３のブラッシング能力が低下してしまっても、下ブラシ本体３６が紙粉を確実に掻き落とすので、ブラッシング効果を比較的長期にわたって維持することができると共に、これらブラシ本体３３，３６で掻き落とした紙粉をフード本体４１の外部に散乱させてしまうことなく当該フード本体４１内に確実に集塵することができる。
【００３７】
一方、渡胴６に保持された枚葉紙１００等に対する上記ブラシ本体３３，３６の接触状態の調整を行う場合には、上取付ボルト３２および下取付ボルト３５を緩めることにより、上下ブラシ本体３３，３６をホルダ本体２１の切欠溝２１ａに沿ってスライド移動させて容易に調整することができ、上記ボルト３２，３５を締め付けることにより、当該ブラシ本体３３，３６を容易に位置決め固定することができる。
【００３８】
また、フード本体４１や上下ブラシ本体３３，３６などに付着した紙粉を除去する場合には、フック５１からチャック本体５２を外すことにより、ホルダ本体２１からフード本体４１を容易に取り外すことができ、続いて、上下取付ボルト３２，３５を緩めてホルダ本体２１の切欠溝２１ａに沿って抜き取ることにより、上下ブラシ本体３３，３６をホルダ本体２１から容易に取り外すことができるので、当該フード本体４１や上下ブラシ本体３３，３６の掃除を容易に行うことができる。
【００３９】
したがって、このような集塵装置１０によれば、保守点検作業の頻度を削減することができると同時に、保守点検作業自体を容易化することができるので、印刷機の稼働効率を大幅に向上させることができる。
【００４０】
なお、本実施形態では、渡胴６に集塵装置１０を配設したが、例えば、印刷ユニット３の圧胴３ａのゴム胴３ｂとの対接位置上流側に配設したり、給紙装置１の差板１ｂに配設したり等、枚葉紙１００に対して印刷を行う前の位置であればよい。
【００４１】
また、枚葉紙１００に付着している紙粉を印刷時に集塵する場合だけでなく、メンテナンス時に渡胴６等を空転させて渡胴６等に付着した紙粉を集塵することも可能である。
【００４２】
また、例えば、図１における渡胴７が反転胴となる両面印刷機の場合には、集塵装置１０を渡胴２にさらに配設することにより対応することができる。
【産業上の利用可能性】
【００４３】
本発明に係る集塵装置は、枚葉印刷機などにおいて、給紙装置から印刷ユニットに枚葉紙を送給する際に紙粉を除去することができる。
【図面の簡単な説明】
【００４４】
【図１】本発明に係る集塵装置を適用した枚葉印刷機の実施の形態の全体概略構成図である。
【図２】図１の集塵装置部分の抽出拡大図である。
【図３】図２を矢線 III方向から見た平面図である。
【図４】図３を矢線IV方向から見た背面図である。
【図５】ホルダの構造図である。
【図６】ブラシアッセンブリの構造図である。
【図７】フードの構造図である。
【図８】ファスナの構造図である。
【図９】従来の集塵装置の概略構成を表す側面図である。
【図１０】図９の平面図である。
【符号の説明】
【００４５】
１  給紙装置
１ａ  紙積台
１ｂ  差板
２  渡胴
３，４  印刷ユニット
３ａ，４ａ  圧胴
３ｂ，４ｂ  ゴム胴
３ｃ，４ｃ  版胴
３ｄ，４ｄ  インキ装置
３ｅ，４ｅ  給水装置
５  排紙装置
５ａ  排紙胴
５ｂ，５ｃ  スプロケット
５ｄ  排紙チェーン
６，７  渡胴
８  フレーム
１０  集塵装置
１１  ブラケット
１１ａ  切欠溝
２１  ホルダ本体
２１ａ  切欠溝
２２  支持プレート
２２ａ  係合突起
２３  リブ
２４  ボルト
３１  上取付プレート
３２ａ  切欠溝
３２  上取付ボルト
３３  上ブラシ本体
３４  下取付プレート
３５  下取付ボルト
３６  下ブラシ本体
３７  スペーサ
４１  フード本体
４２  フランジ
４２ａ  係合スリット
４３  パイプ
５１  フック
５２  チャック本体
【図１】
2007182089.tif 000003
【図２】
2007182089.tif 000004
【図３】
2007182089.tif 000005
【図４】
2007182089.tif 000006
【図５】
2007182089.tif 000007
【図６】
2007182089.tif 000008
【図７】
2007182089.tif 000009
【図８】
2007182089.tif 000010
【図９】
2007182089.tif 000011
【図１０】
2007182089.tif 000012